(57)【要約】【課題】  引戸閉止時のバウンドを防止できる引戸の仮締り機構を提供する。【解決手段】  錠箱２内で水平方向に移動可能に案内され、フロント板１から外方に突出する方向に付勢されたトリガー４と、このトリガーに形成されたラック８と噛み合う扇形歯車１２を一端に形成し、その中心軸の回りを回動可能に支承された板状体で、他端部の一方にストライク孔内に振り入れられるアーム部１３を、他方に扇形歯車の回動中心を中心とする円弧部を夫々形成し、この円弧部にラチェット歯車１５を形成したカマ９と、先端にラチェット爪１７を突設し、錠箱内の案内板２６に沿う上下方向、及び、ラチェット爪が内方に傾動する方向に案内され、上方に付勢されたラチェット体１６と、このラチェット体１６に関し案内板と反対側に配設され、水平方向に移動可能に案内されると共に、ラチェット体を案内板に弾圧する方向に付勢されたラチェットガイド２３とを設ける。【選択図】  図４
2005120724.tif 000002
【特許請求の範囲】
【請求項１】
錠箱内で水平方向に移動可能に案内され、フロント板から外方に突出する方向に付勢されたトリガーと、このトリガーの長さ方向に沿って形成されたラックと噛み合う扇形歯車を一端に形成し、この歯車の中心軸の回りを回動可能に支承された板状体で、他端部の一方にストライク孔内に振り入れられるアーム部を、他方に扇形歯車の回動中心を中心とする円弧部を夫々形成し、この円弧部にラチェット歯車を形成したカマと、先端にラチェット歯車と係脱するラチェット爪を突設し、錠箱内の案内板に沿う上下方向、及び、ラチェット爪が内方に傾動する方向に案内され、上方に付勢されたラチェット体と、このラチェット体に関し案内板と反対側に配設され、水平方向に移動可能に案内されると共に、ラチェット体を案内板に弾圧する方向に付勢されたラチェットガイドとを有することを特徴とする引戸の仮締り機構。
【発明の詳細な説明】
【技術分野】
【０００１】
この発明は、引戸の仮締り機構（以下単に仮締り機構という）に係り、特に、引戸閉止時引戸の反発（以下バウンドという）を防止して引戸錠の使い勝手を向上させ得る仮締り機構に関する。
【背景技術】
【０００２】
近年、例えばハンガー引戸等、走行抵抗が小さい、換言すれば軽く動く引戸が増えてきているが、このような引戸は閉止時バウンドし易く、閉止毎に手で引戸の位置を修正しなければならないので使い勝手が悪い。
【０００３】
また、引戸が閉止位置にあることを検知するトリガーが引戸の端縁から突出している場合には、そのトリガーを突出させるばねの弾力により引戸が開いてしまうこともある。
【０００４】
そこで、本出願人は先に、後記特許文献１を以て、新規な仮締り機構を提案した。
この仮締り機構は、錠箱のフロント板からストライク側に突出したトリガーと、このトリガーに形成されたラックと噛み合う扇形歯車を有し、他端部にラチェット機構を備えたカマを、引戸閉止時ストライク孔に振り入れ、ストライク板の裏面側に係合させるとき、ラチェット機構の作動を慣性力によって作動する振り子片によって制御するようにしたものである。
【０００５】
しかして、この仮締り機構は、その機構上、引戸を勢いよく閉めた場合には制動が良く効かない、等未だ改良の余地がある。
【特許文献１】特開２００２−１３８７４７
【発明の開示】
【発明が解決しようとする課題】
【０００６】
そこで、この発明は、引戸閉止時のバウンドを完全に防止でき、しかも、引戸を再び開けるとき、仮締りを解くための操作を何等必要としない仮締り機構を提供することを目的としている。
【課題を解決するための手段】
【０００７】
上記の目的を達成するため、この発明は、錠箱内で水平方向に移動可能に案内され、フロント板から外方に突出する方向に付勢されたトリガーと、このトリガーの長さ方向に沿って形成されたラックと噛み合う扇形歯車を一端に形成し、この歯車の中心軸の回りを回動可能に支承された板状体で、他端部の一方にストライク孔内に振り入れられるアーム部を、他方に扇形歯車の回動中心を中心とする円弧部を夫々形成し、この円弧部にラチェット歯車を形成したカマと、先端にラチェット歯車と係脱するラチェット爪を突設し、錠箱内の案内板に沿う上下方向、及び、ラチェット爪が内方に傾動する方向に案内され、上方に付勢されたラチェット体と、このラチェット体に関し案内板と反対側に配設され、水平方向に移動可能に案内されると共に、ラチェット体を案内板に弾圧する方向に付勢されたラチェットガイドとを有することを特徴とする。
【発明の効果】
【０００８】
上記のように構成されたこの発明による仮締り機構は、引戸閉止時錠箱内に押込まれるトリガーに連動してカマが回動する際、ラチェット爪とカマのラチェット歯車との係脱に伴うラチェット体の振動が、案内板とラチェットガイドの間に弾圧された状態で行われるから、ラチェット体にブレーキが掛かり、この制動力によって引戸のバウンドが有効に防止される。
【０００９】
また、引戸を開けるときカマのアーム部とストライクとの係合によりカマが回動し、このカマの回動はラチェット機構を動かすから、引戸を開ける操作により仮締り状態が自動的に解除される。
【発明を実施するための最良の形態】
【００１０】
引戸閉止時のバウンド、すなわち反発に起因する引戸の開放方向の運動エネルギーを、ラチェット体とラチェットガイドとの摩擦を利用して有効に吸収するようにした。
【実施例１】
【００１１】
以下、この発明の実施例を図面を参照して説明する。
図１において符号１は錠箱２のフロント板を、符号３は戸枠のストライク板を夫々示し、バウンドは引戸閉止時におけるこれらフロント板１とストライク板３との衝突によって生じる。
【００１２】
上記錠箱２の上方には、細長いブロック上のトリガー４が水平方向、すなわち図１で左右方向に移動可能に案内されている。
【００１３】
図示の実施例では、このトリガー４は断面Ｌ字形に折り曲げられたガイド板に上面を摺接させ、錠箱２の側面に開口した図示しない水平な案内長孔に、トリガーの向こう側の側面に形成された図示しない突起を係合させることにより、左右方向に移動可能に案内されている。
【００１４】
また、このトリガー４は、図１における向こう側の側面に開口した細長い凹部に弾装された圧縮コイルばねとしてのトリガーばね６の弾力により、フロント板１から外方に突出する方向、すなわち、図示の実施例では左方に付勢されている。
【００１５】
なお、図示の実施例におけるトリガーばね６は、錠箱の側板の一部を切り起こして形成され、上記細長い凹部に挿入されたばね掛け片６と、上記細長い凹部の左方の内壁との間に弾装されている。
【００１６】
また、このトリガー４の下面には、その長さ方向、すなわち図１で左右方向に沿って、ラック８が形成されている。
【００１７】
一方、上記トリガー４の下方には、カマ９がカマ軸１１の回りを回動可能に支承されている。
【００１８】
このカマ９は、一端に上記ラック８と噛み合う扇形歯車１２を形成した、全体の形状が略Ｔ字形の板状体である。
【００１９】
そして、このカマの他端部の一方にはストライク孔内に振り入れられるアーム部１３が、他方にはカマ軸１１を中心とする円弧部１４が夫々形成されており、この円弧部にはラチェット歯車１５（ラチェット歯列）が形成されている。
【００２０】
他方、図４に示すように、錠箱内空間においてカマ９の下方でフロント板に近い部分にはラチェット体１６が配設されている。
【００２１】
図４では、ラチェット体１６がラチェット歯車と係合している状態を実線で、カマ９が錠箱内に振り入れられるときにラチェット歯車１５によって傾動した状態を鎖線で示しており、煩雑になっているので、図２及び図３を参照してラチェット体の構造を説明する。
【００２２】
このラチェット体１６は、図２及び図３に示すように、大体の形状が角柱体で、その先端（図で上端）にはラチェット歯車と係脱するラチェット爪１７が突設されている。
【００２３】
また、ラチェット体１６の下面中央には断面円形の凹陥部１８が形成されていて、この凹陥部１８内には、図４を明瞭にするため図示を省略する圧縮コイルばねとしてのラチェットばねが収納される。
【００２４】
更にまた、ラチェット体１６の正面上部を、段部付のピン穴１９が貫通しており、このピン穴１９には、フランジ付のガイドピン２１（図３参照）が嵌装されている。
【００２５】
このガイドピン２１の先端は、図３に示すように、ラチェット体１６の背面側に少し突出する程度に長く、この突出部分は、図１に示す錠箱の側板下方に開口した略三角形のガイド穴２２に遊動可能に係合している。
【００２６】
なお、図示の実施例においては、ラチェット体１６の前後方向の寸法、すなわち、図３で左右方向の寸法は錠箱の一対の側板の間隔より僅かに小さくなるように設定されているので、側板の一方に摺接するラチェット体の正面からガイドピン２１が抜け出てしまうことはない。
【００２７】
上記した構造から、ラチェット体１６は、凹陥部１８に収納された図示しないラチェットばねの弾力により上方に付勢されているので、ラチェット体に外力が作用しない常態においては、ラチェット体と一体の上記ガイドピン２１はガイド穴２２の上端隅部に係合している。
【００２８】
しかしながら、後述するようにカマ９のラチェット歯車１５によって右斜め下に押動されると（図４の鎖線で描かれたラチェット体１６参照）ガイドピン２１の先端がガイド穴２２の斜辺に沿って移動し、その結果ラチェット体１６は内方に傾動する。
【００２９】
一方、図４に示すように、ラチェット体１６に隣接して、その内方に、ラチェットガイド２３が配設されている。
【００３０】
このラチェットガイド２３は、例えば図４に示すように、錠箱２の側板に対する投影形状が細長い逆向きコ字形になるように折曲された板材で、錠箱２の側板を一部切り起こして形成された、ばね掛けを兼ねる案内片２４を間に挟んだ態様で、水平方向に移動可能に案内されている。
【００３１】
また、上記案内片２４とラチェットガイド２３の前面との間に弾装された圧縮コイルばねとしてのガイドばね２５の弾力により、ラチェットガイド２３はラチェット体１６を前方に押動し、これをフロント板の裏板２６に弾圧している。
【００３２】
この場合、ラチェット体１６は裏板２６を案内板として上下方向に移動可能に案内されると共に、上記したようにラチェット歯車１５によって斜め右下に押動されたときには、ガイドばね２５の弾力に抗してラチェットガイド２３を内方に押し戻す態様で傾動できるように案内されることになる。
【００３３】
何れの場合でも、ラチェット体１６は案内板（裏板）２６とラチェットガイド２３に強く挟まれた状態で上下方向に移動し、或いはラチェットガイド２３を押し戻しつつ傾動するから、ラチェット体１６の移動時その側面に強い摩擦が生じ、この部分がブレーキとなる。
【００３４】
なお、図１において符号２７はプッシャーを示し、このプッシャー２７は引戸閉止時トリガー４を錠箱内方に深く押し戻し、トリガー４の作動行程を延長させるものであるが、この発明の作動原理上必須の構成ではない。
【００３５】
また、図示の実施例では、フロント板の裏板２６をラチェット体１６の案内板として利用しているが、ラチェット体１６の位置をもう少し錠箱内方に設定する場合には、独立した案内板を設けると良い。
【００３６】
上記のように構成されたこの発明の一実施例による仮締り機構は、引戸閉止時、図４に示すように、プッシャー２７がトリガー４を錠箱２内に押し込み、その結果扇形歯車１２及びこれと一体のカマ９が時計方向に回動する。
【００３７】
同時に、カマのアーム部１３がストライクの開口を潜り抜けてその裏側に入り込み、カマ９及び錠箱２を介して引戸をストライク板３に係止するようにして、引戸のバウンド、すなわち引戸の開放方向への跳ね返りを防止する。
【００３８】
このとき、カマ９の時計方向の回動の終端において、ラチェット爪１７がラチェット歯車１５と噛み合うに至り、上方に付勢されたラチェット爪１７がラチェット歯車の歯底に落ち込んで上昇したり、或いは鋸歯状のラチェット歯車の傾斜部によって下方に押し下げられたりするので、ラチェット体１６は案内板２６とラチェットガイド２３の間に挟まれた状態で上下に振動する。
【００３９】
そのため、引戸の閉止方向の運動エネルギーがラチェット体１６の両側面における摩擦によって吸収され、程よく緩衝された状態で引戸が戸枠に当接する。
【００４０】
しかしながら、緩衝されたといっても引戸のバウンドは必然的に生じ、引戸、及びこれと一体の錠箱２は引戸開放方向に移動しようとする。
【００４１】
錠箱２が引戸開放方向、すなわち図４で右方に移動しようとすると、必然的にアーム部１３がストライク板３から反力を受け、カマ９は反時計方向に回動しようとする。
【００４２】
このカマの反時計方向の回動に伴い、ラチェット体１６はラチェットガイド２３の弾力に抗して傾動すると共に、下方に押動される。
【００４３】
このラチェット体１６の動きは、図示しないラチェットばね及びガイドばね２５を押し縮める方向に作用するので、引戸のバウンドに対して強い抵抗力が生じ、引戸のバウンドを有効に防止する。
【００４４】
なお、ラチェットばね及びガイドばね２５の弾力を適切に設定することにより、バウンドの際の引戸の運動エネルギーの吸収を調節できることは言うまでもない。
【図面の簡単な説明】
【００４５】
【図１】この発明の一実施例による仮締り機構のトリガーとカマの係合の態様を示す錠箱の側面図で、引戸の開放時を示す。
【図２】ラチェット体の正面図。
【図３】ラチェット体の側面図。
【図４】この発明の一実施例による仮締り機構の要部を示す錠箱の側面図で、引戸の閉止時を示す。
【符号の説明】
【００４６】
１  フロント板
２  錠箱
３  ストライク板
４  トリガー
６  トリガーばね
８  ラック
９  カマ
１２  扇形歯車
１３  アーム部
１４  円弧部
１５  ラチェット歯車
１６  ラチェット体
１７  ラチェット爪
１８  凹陥部
２３  ラチェットガイド
２５  ガイドばね
２６  裏板
【図１】
2005120724.tif 000003
【図２】
2005120724.tif 000004
【図３】
2005120724.tif 000005
【図４】
2005120724.tif 000006